(57)【要約】【課題】  特定の条件を満たす来訪者に対しては、セキュリティ性を落とすことなく直前に発行したパスワードを利用することでパスワード記憶部及びパスワードタイマの構成を単純化できる集合住宅インターホンシステムを提供する。【解決手段】  制御装置４は、第１集合玄関機１で表示したパスワードを記憶するパスワード記憶部４１ｃと、パスワードの有効時間をカウントするパスワードタイマ４２とを有し、メイン制御部４３は発行したパスワードが有効な時間内に、新たな来訪者により第１集合玄関機１から居住者の呼出操作が成され、居室親機３から解錠信号を受信したら、パスワードタイマ４２を再スタートして有効時間を延長すると共に、発行中のパスワードを第１集合玄関機１に再表示させる。【選択図】  図１
2014013956.tif 000002
【特許請求の範囲】
【請求項１】
集合住宅のメインエントランスに設置されて来訪者が居住者を呼び出して通話を行う機能を備えた第１集合玄関機と、個々のフロアエントランス又は棟エントランス毎に設置されて居住者を呼び出す機能を備えた複数の第２集合玄関機と、各住戸に設置されて前記集合玄関機からの呼び出しに応答する機能を備えた居室親機と、前記集合玄関機と前記居室親機との間の通信を制御する制御装置と、前記メインエントランスに設置されて集合住宅内への立ち入りを規制するための第１オートドアと、各前記第２集合玄関機に対応付けて各フロアエントランス又は棟エントランスに設置され、各フロア又は棟内への立ち入りを規制するための複数の第２オートドアとを有し、前記居室親機により前記第１及び第２オートドアが解錠可能であると共に、前記第１集合玄関機の呼び出しを受けた前記居室親機から解錠信号が出力されたら、前記第１オートドアを解錠すると共に、前記第２オートドアを解錠するためのパスワードを発行して前記第１集合玄関機に表示させ、発行されたパスワードを前記第２オートドアに対応する前記第２集合玄関機に入力することで前記第２オートドアを解錠するオートドア解錠制御部を有する集合住宅インターホンシステムであって、
前記制御装置は、前記第１集合玄関機で表示したパスワードを記憶するパスワード記憶部と、パスワードの有効時間をカウントするパスワードタイマとを有し、
前記オートドア解錠制御部は、発行したパスワードの有効時間内に前記第１集合玄関機から居住者の呼出操作が成されて解錠信号を受信したら、前記パスワードタイマを再スタートして有効時間を延長すると共に、発行中のパスワードを再使用して前記第１集合玄関機に表示させることを特徴とする集合住宅インターホンシステム。
【請求項２】
前記制御装置は、前記居室親機と少なくとも１つの前記第２集合玄関機とを関係付けた住戸場所記憶部を有し、
前記オートドア解錠制御部は、パスワードが入力された前記第２居室親機が応答操作した前記居室親機に関連付けられていない場合、解錠信号を出さないことを特徴とする請求項１記載の集合住宅インターホンシステム。
【請求項３】
前記制御装置は、個々の第２オートドアに対応する複数の有効時間を記憶し、
前記オートドア解錠制御部は、解錠する第２オートドアに応じてパスワードの有効時間を変更することを特徴とする請求項２記載の集合住宅インターホンシステム。
【発明の詳細な説明】
【技術分野】
【０００１】
本発明は、エントランスから居室までの間に集合玄関機及びオートドアが複数設置された集合住宅インターホンシステムに関する。
【背景技術】
【０００２】
セキュリティ性を上げるためにメインエントランスに加えて集合住宅内の個々のフロアエントランスや棟エントランスにもオートドアを備えた集合住宅がある。このような従来の集合住宅では、オートドアと対を成すように集合玄関機を設置して、オートドアを通過する度に集合玄関機から居住者を呼び出し、居住者によりオートドアを開けてもらうよう構成した集合住宅インターホンシステムが使用された。
従来のこのような操作は、セキュリティ性は向上するものの来訪者にとっても居住者にとっても煩わしい操作であったため、操作性を改善した集合住宅インターホンシステムがある。例えば特許文献１では、メインエントランスの集合玄関機から居住者を呼び出した際に一定時間だけ有効なパスワードを自動発行し、次に立ち入るオートドアを来訪者自身がパスワードを入力して解錠することで、居住者を呼び出す煩わしさの解消を図った。
【先行技術文献】
【特許文献】
【０００３】
【特許文献１】特開２０１１−１８２０１９号公報
【発明の概要】
【発明が解決しようとする課題】
【０００４】
しかしながら、上記特許文献１の構成の場合、状況に拘わらず来訪者毎に異なったパスワードを発行するため、十分な容量のパスワード記憶部を必要としたし、パスワード毎に有効時間を管理するため、時間管理するパスワードタイマの構成も複雑なものとなっていた。
【０００５】
そこで、本発明はこのような問題点に鑑み、特定の条件を満たす来訪者に対しては、直前に発行したパスワードを利用することでパスワード記憶部及びパスワードタイマの構成を単純化でき、然もセキュリティ性を落とさない集合住宅インターホンシステムを提供することを目的としている。
【課題を解決するための手段】
【０００６】
上記課題を解決する為に、請求項１の発明は、集合住宅のメインエントランスに設置されて来訪者が居住者を呼び出して通話を行う機能を備えた第１集合玄関機と、個々のフロアエントランス又は棟エントランス毎に設置されて居住者を呼び出す機能を備えた複数の第２集合玄関機と、各住戸に設置されて集合玄関機からの呼び出しに応答する機能を備えた居室親機と、集合玄関機と居室親機との間の通信を制御する制御装置と、メインエントランスに設置されて集合住宅内への立ち入りを規制するための第１オートドアと、各第２集合玄関機に対応付けて各フロアエントランス又は棟エントランスに設置され、各フロア又は棟内への立ち入りを規制するための複数の第２オートドアとを有し、居室親機により第１及び第２オートドアが解錠可能であると共に、第１集合玄関機の呼び出しを受けた居室親機から解錠信号が出力されたら、第１オートドアを解錠すると共に、第２オートドアを解錠するためのパスワードを発行して第１集合玄関機に表示させ、発行されたパスワードを第２オートドアに対応する第２集合玄関機に入力することで第２オートドアを解錠するオートドア解錠制御部を有する集合住宅インターホンシステムであって、制御装置は、第１集合玄関機で表示したパスワードを記憶するパスワード記憶部と、パスワードの有効時間をカウントするパスワードタイマとを有し、オートドア解錠制御部は、発行したパスワードの有効時間内に第１集合玄関機から居住者の呼出操作が成されて解錠信号を受信したら、パスワードタイマを再スタートして有効時間を延長すると共に、発行中のパスワードを再使用して第１集合玄関機に表示させることを特徴とする。
この構成によれば、先に発行したパスワードが有効な時間帯であれば、新たなパスワードを発行することなく発行中のパスワードの有効時間を延長して対応するため、パスワード記憶部及びパスワードタイマを簡素化できる。そして、先に発行したパスワードが生きている場合のみパスワードを継続使用するため、多少延びても一定時間が経過すれば使用できなくなり、セキュリティ性を損なうことがない。
【０００７】
請求項２の発明は、請求項１に記載の構成において、制御装置は、居室親機と少なくとも１つの第２集合玄関機とを関係付けた住戸場所記憶部を有し、オートドア解錠制御部は、パスワードが入力された第２居室親機が応答操作した居室親機に関連付けられていない場合、解錠信号を出さないことを特徴とする。
この構成によれば、訪問先に行くまでに通過することのない第２オートドアは、対応づけられている近くの第２集合玄関機からパスワードを入力しても解錠動作しないため、セキュリティを向上できる。
【０００８】
請求項３の発明は、請求項２に記載の構成において、制御装置は、個々の第２オートドアに対応する複数の有効時間を記憶し、オートドア解錠制御部は、解錠する第２オートドアに応じてパスワードの有効時間を変更することを特徴とする。
この構成によれば、第２集合玄関機までの距離に応じて有効時間を変更できるため、集合住宅が大規模であっても、有効時間を第１集合玄関機からの距離等の必要とする時間に応じて最適に設定でき、有効時間が無駄に長くなるようなことが無くなり、高いセキュリティを維持できる。
【発明の効果】
【０００９】
本発明によれば、発行したパスワードが有効な時間帯であれば、新たなパスワードを発行することなく現行のパスワードの有効時間を延長して対応するため、パスワード記憶部及びパスワードタイマを簡素化できる。
【図面の簡単な説明】
【００１０】
【図１】本発明に係る集合住宅インターホンシステムの一例を示す構成図である。
【図２】パスワードの有効時間を示すタイムチャート図である。
【発明を実施するための形態】
【００１１】
以下、本発明を具体化した実施の形態を、図面を参照して詳細に説明する。図１は本発明に係る集合住宅インターホンシステムの一例を示す構成図であり、制御装置のみブロック図で示している。
図１において、１は集合住宅のメインエントランスに設置されて来訪者が居住者を呼び出して通話を行う機能を備えた第１集合玄関機、２は各フロアエントランス又は棟エントランス毎に設置されて居住者を呼び出す機能を備えた第２集合玄関機、３は各住戸に設置されて集合玄関機１，２からの呼び出しに応答する機能を備えた居室親機、４は第１及び第２集合玄関機１，２と居室親機３との間の通信を制御する制御装置、５は居住者や来訪者と通話するために管理室に設置された管理室親機、６はメインエントランスに設置されて集合住宅内への立ち入りを規制するための第１オートドア、７は各フロアエントランス又は棟エントランスに設置されて各フロア又は棟内への立ち入りを規制するための第２オートドアである。第２集合玄関機２と第２オートドア７は対を成して複数設置されている。
【００１２】
第１集合玄関機１及び第２集合玄関機２は、集合玄関機幹線Ｌ１を介して制御装置４に接続され、居室親機３は親機幹線Ｌ２を介して制御装置４に接続され、管理室親機５は伝送線Ｌ３を介して制御装置４に接続されている。また、第１オートドア６は制御線Ｌ４を介して対応する第１集合玄関機１に接続され、第２オートドア７は制御線Ｌ５を介して対を成す第２集合玄関機２に接続されている。
【００１３】
制御装置４は、図１に示すように集合玄関機ＩＤ記憶部４１ａ、住戸番号と居室親機ＩＤを関連付けた住戸番号記憶部４１ｂ、発行したパスワードを記憶するパスワード記憶部４１ｃ、個々の第２オートドア７に対して設定されたパスワードの有効時間を記憶する有効時間記憶部４１ｄ、居室親機３と少なくとも１つの第２集合玄関機２（及び対応する第２オートドア７）を関連付けた住戸場所記憶部４１ｅ、選択した第２集合玄関機２を記憶する解錠フロア記憶部４１ｆ、パスワードの有効時間を管理するパスワードタイマ４２、制御装置４全体を制御するメイン制御部４３、第１集合玄関機１と通信する第１インターフェース（第１ＩＦ）４４ａ、居室親機３と通信する第２インターフェース（第２ＩＦ）４４ｂ、管理室親機５と通信する第３インターフェース（第３ＩＦ）４４ｃ等を備えている。
【００１４】
尚、第１集合玄関機１及び第２集合玄関機２は、呼び出す住戸を選択する（居室親機を選択する）操作部１１，２１、来訪者を撮像するカメラ１２，２２、各種情報を表示する表示部１３，２３、通話するためのマイク１４，２４及びスピーカ１５，２５を備えている。また居室親機３は、呼び出しを受けて応答操作する通話ボタン３１、来訪者映像を表示するモニタ３２、オートドアを解錠する解錠ボタン３３、通話するためのマイク及びスピーカ等を備えている。
【００１５】
このように構成された集合住宅インターホンシステムについて、以下、動作を説明する。但し、第１集合玄関機１或いは第２集合玄関機２からの呼出操作によりカメラ１２，２２が撮像を開始して居室親機３に表示される動作、管理室親機５からの呼び出し通話動作等は、従来と同様であるため説明を省略し、ここでは来訪者が第１集合玄関機１から所望の居住者を呼び出して通話し、その後来訪者により第２オートドア７が解錠される制御の流れを中心に説明する。
【００１６】
来訪者がメインエントランスから第１集合玄関機１を操作して訪問先の居住者を呼び出すために住戸番号等を入力して呼出操作すると、制御装置４を介して呼出先の住戸の居室親機３に呼出信号が送信され、呼出先の居室親機３において呼出音が鳴動する。呼び出し音を認識した居住者が居室親機３を応答操作すると、制御装置４の制御で呼出元の第１集合玄関機１との間で通話路が形成され通話が可能となる。こうして通話により来訪者を確認した居住者により、居室親機３の解錠ボタン３３が操作されると、解錠信号が制御装置４に出力される。
【００１７】
解錠信号を受信した制御装置４は、メイン制御部４３がパスワード（例えば、２桁の数字）を生成し、第１オートドア６を解錠するための解錠信号と共に第１集合玄関機１へ送信する。また、解錠信号を出力した居室親機３の住戸番号（居室親機ＩＤ）を基に、住戸場所記憶部４１ｅから来訪者が立ち入る第２オートドア７を読み取り、通過する第２オートドア７に対して設定された有効時間を有効時間記憶部４１ｄから読み取り、パスワードタイマ４２を読み取った有効時間に設定してカウントをスタートする。
【００１８】
ここで、第２オートドア７の選択について具体的に説明する。例えば複数階から成る集合住宅の場合、階毎にフロアが構成される。そして、来訪者はエレベータ或いは階段により目的とする住戸のあるフロアまで進むことになる。この場合、エレベータ前（及び階段前）に第２オートドア７が設置されている。そのため、目的とする住戸のあるフロア以外のフロアを通過することは通常ないため、必然的に通過する第２オートドア７は特定される。逆に見れば、通過することのない第２オートドア７が決定されるため、特定の第２オートドア７以外の第２オートドア７はパスワードを入力しても解錠しないよう設定することができ、セキュリティアップを期待できる。
【００１９】
また、メイン制御部４３は、パスワード記憶部４１ｃに発行したパスワードを保存し、選択した第２オートドア７のＩＤ（対応する第２集合玄関機ＩＤ）を解錠フロア記憶部４１ｆに保存する。
【００２０】
パスワード及び解錠信号を受信した第１集合玄関機１は、表示部１３にパスワードを表示し、第１オートドア６に解錠信号を送信して解錠する。このとき、第１集合玄関機１の表示部１３には、表示したパスワードが訪問先まで行く途中の第２オートドア７を解錠するためのパスワードである旨が合わせて表示される。
【００２１】
第１集合玄関機１で表示されたパスワードを認識した来訪者は、解錠された第１オートドア６から集合住宅内に入り、エレベータ等を使用して訪問先のフロアに移動し、フロア入り口に設置された第２オートドア７の解錠操作を実施する。
この解錠操作は、第２オートドア７の近傍に設置されている第２集合玄関機２にパスワードを入力することで実施される。
【００２２】
具体的に、第２集合玄関機２を所定のパスワード入力モードにして、第１集合玄関機１に表示されたパスワードを入力する。パスワードが入力された第２集合玄関機２は、入力されたパスワード情報を制御装置４に送信する。このパスワード情報を受けた制御装置４は、メイン制御部４３がパスワードが正しいか、有効時間内であるか、禁止された第２オートドア７に関連付けられた第２集合玄関機２からではないかを、パスワード記憶部４１ｃ、パスワードタイマ４２、解錠フロア記憶部４１ｆをそれぞれ参照して判断し、全てをクリアしたら解錠信号を第２集合玄関機２に送信する。
この解錠信号を受信した第２集合玄関機２は、第２オートドア７を解錠する。こうして来訪者は、第２オートドア７を通過して目的とする住戸まで進むことができる。
【００２３】
尚、パスワードが正しくない場合は、例えば再度入力要求メッセージの表示等が行われる。また有効時間外であれば、時間切れ等のメッセージが表示される。更に禁止されたフロアの第２オートドア７の前に進んだ場合は、フロアが異なる旨のメッセージが第２集合玄関機２に表示される。
また、来訪者がパスワードを忘れてしまった場合は、第１集合玄関機１での操作と同様に、第２集合玄関機２から居住者を呼び出して解錠操作してもらえば良い。
【００２４】
このように、訪問先に行くまでに通過することのない第２オートドア７はパスワードを入力しても解錠動作しないため、セキュリティ性を向上できる。
また、第２集合玄関機２毎に有効時間を設定できるため、集合住宅が大規模であっても、有効時間を第１集合玄関機１からの距離等に応じて最適に設定でき、有効時間が無駄に長くなったり、足りないようなことが無くなり、来訪者に迷惑をかけてしまうのを防止できるし高いセキュリティを維持できる。
【００２５】
次に、先に発行したパスワードの有効時間内に、新たな来訪者が第１集合玄関機１を呼出操作した場合を説明する。新たな来訪者が第１集合玄関機１から居室親機３を呼び出し、通話して居室親機３から第１オートドア６の解錠信号が制御装置４に出力されると、メイン制御部４３はパスワードタイマ４２のカウント状況から先に発行したパスワードが有効であるか判断する。有効である場合は、引き続き住戸場所記憶部４１ｅの情報を基に、新たな訪問者の訪問先が先の訪問者と同一の第２オートドア７に関連付けられているかどうか判断する。
【００２６】
この結果、同一の第２オートドア７に関連付けられていると認識すると、新たなパスワードを生成せず、発行中のパスワードを引き続き使用する。但し、パスワードタイマ４２をリセットして有効時間記憶部４１ｄから読み取った時間で再スタートさせる。
そのため、パスワード記憶部４１ｃに記憶しているパスワードを第１集合玄関機１へ送信して表示させる。
【００２７】
図２はこの場合、即ちパスワードを変更せずに有効時間を延長して対応する場合のパスワード有効時間のタイミングチャートを示している。Ｔ１は第１集合玄関機１にパスワードが表示される時間を示し、Ｔ１１は発行したパスワードの有効時間を示している。図２に示すように、後から来た来訪者に対して居室親機３から解錠信号が出力されたら、発行中のパスワードの経過時間に拘わらずパスワードタイマ４２はリセットされ、予め設定された有効時間Ｔ１１のカウントを再開する。
こうして第１集合玄関機１で表示されたパスワードを、来訪者が上述したように第２集合玄関機２に入力することで第２オートドア７は解錠され、訪問先の住戸まで行くことができる。
【００２８】
尚、後から来た来訪者の訪問先が異なるフロアの住戸である場合は、直前に発行したパスワードがまだ有効であっても、新たに異なるパスワードが発行されるし、有効時間も新たに設定され、先に発行されたパスワードの有効時間は変化しない。
【００２９】
このように、先に発行したパスワードが有効な時間帯であれば、新たなパスワードを発行することなく発行中のパスワードの有効時間を延長して対応するため、パスワード記憶部４１ｃ及びパスワードタイマ４２を簡素化できる。そして、先に発行したパスワードが生きている場合のみパスワードを継続使用するため、多少延びても一定時間が経過すれば使用できなくなり、セキュリティ性を損なうことがない。
【００３０】
尚、上記実施形態では、同一フロアに進む来訪者の場合にパスワードの有効時間を延長して対応しているが、異なるフロアに進む来訪者であっても、先のパスワードが有効な時間であれば、パスワードを変えず時間を延長して対応させても良く、パスワード記憶部４１ｃ及びパスワードタイマ４２を大きく簡素化できる。
また、第１集合玄関機１が１台の場合を説明したが、メインエントランスが複数ある場合は第１集合玄関機１も複数台設置されることになる。この場合、個々の第１集合玄関機１を独立させてパスワードの発行制御を行えばよい。更に、発行するパスワードは発行元の第１集合玄関機を認識できるＩＤを附加すると良い。
【符号の説明】
【００３１】
１・・第１集合玄関機、２・・第２集合玄関機、３・・居室親機、４・・制御装置、６・・第１オートドア、７・・第２オートドア、１３・・表示部、３３・・解錠ボタン、４１ｃ・・パスワード記憶部、４１ｄ・・有効時間記憶部、４１ｅ・・住戸場所記憶部、４１ｆ・・解錠フロア記憶部、４２・・パスワードタイマ、４３・・メイン制御部（オートドア解錠制御部）。
【図１】
2014013956.tif 000003
【図２】
2014013956.tif 000004